(57)【要約】【課題】画像形成装置において、小型化することで設置スペースを極力小さく抑え、また高速化で定着装置からの発熱が高まる画像読取部への熱影響を解消でき、使用者に対し風や騒音による不快感を与えずに済むようにする。【解決手段】画像読取部と画像形成部との間に排紙トレイ７０（排紙部）が設けられている。その排紙トレイ７０の内部を開放または閉塞する排紙扉７６が画像形成装置本体に設けられ、開いて筐体の排紙トレイ７０の内部を開放しかつ閉じて内部を閉塞する。排紙扉７６が閉じて排紙トレイ７０が閉塞されていることを検出したとき、排紙トレイ７０内の熱を強制的に放出させて逃がして使用者への熱による不快感を払拭する。図５のように、排紙扉７６が開いて排紙トレイ７０が開放されているとき、排紙トレイ７０内の熱を機体外に自然放出させ、強制排熱時に生じる排気ファンの回転速度を遅くするなどして騒音などを沈静化する。【選択図】図５
2008151885.tif 000002
【特許請求の範囲】
【請求項１】
定着処理後に排出されたシートを収容する排紙部を有し、前記排紙部に収容されたシートを取り出すための排紙口が扉で開閉可能な画像形成装置において、
前記扉による前記排紙口の開閉状況を検出した信号に基づいて、画像形成装置本体の動作条件が変更されることを特徴とする画像形成装置。
【請求項２】
前記排紙部の蓄熱を機外へ排熱する排熱手段を有し、前記画像形成装置本体の動作条件は前記排熱手段の動作条件であって、
前記排紙口が閉塞されていることの検出信号に基づいて、前記排熱手段を作動させて前記排紙部内の蓄熱を前記画像形成装置本体の機体外に排出する排熱モードを実行する制御部を有することを特徴とする請求項１に記載の画像形成装置
【請求項３】
前記排紙部へシートを排紙するシート排紙手段を有し、前記排紙口が閉塞されていることの検出信号に基づいて、前記シート排紙手段を作動させてシートを高速排出する排紙増速モードを実行するように制御する制御部を有することを特徴とする請求項１に記載の画像形成装置。
【請求項４】
前記扉の表側にモード選択部を含む情報操作表示部が設けられたことを特徴とする請求項１または２に記載の画像形成装置。
【請求項５】
前記排紙部は排紙トレイを有し、前記排熱手段が前記排紙トレイに連通する吸排気ダクトおよび回転ファンを含んで構成されていることを特徴とする請求項２に記載の画像形成装置。
【請求項６】
前記排紙部内を冷却するために前記排紙部に収容されたシートに風を吹き付ける冷却手段を有し、前記画像形成装置本体の動作条件は前記冷却手段の動作条件であって、
前記排紙口が閉塞されていることの検出信号に基づいて、前記排紙部内を前記冷却手段が冷却するように前記冷却手段を動作させる制御部を有することを特徴とする請求項１に記載の画像形成装置。
【請求項７】
前記扉および前記排紙部を形成する側板が防音構造となっていることを特徴とする請求項１乃至６のいずれか１項に記載の画像形成装置。
【請求項８】
前記扉が前記画像形成装置本体に着脱可能となっていることを特徴とする請求項１乃至７のいずれか１項に記載の画像形成装置。
【発明の詳細な説明】
【技術分野】
【０００１】
本発明は、複写機、ファクシミリ装置、プリンタおよび複合機などの画像形成装置に関する。
【背景技術】
【０００２】
画像形成装置を設置する場所については、設置占有面積をできるだけ小さくし、また利便性からはできるだけ使用者の近傍に配置されることが望まれる。そのため、画像形成装置本体において上位の原稿読取部（スキャナ）と下位の画像形成部との間に排紙部を設けることで小型化を実現し、設置占有面積を極力抑えるようにした胴内排紙型と呼ばれる画像形成装置が実用に供せられている。しかし、このような胴内排紙型にすると、処理速度を高速化した機種にあっては原稿読取部が定着装置から発生する熱の影響を受ける問題がある。すなわち、感光体ドラムなど像担持体上の潜像を現像剤（以下、「トナー」という）を用いてトナー像を形成し、このトナー像を記録紙などのシート上に転写する。転写されたシートはトナー像の定着のために定着装置に送り込まれ、そこで加熱および加圧されて永久定着されることになる。その際、定着装置で発生した熱が排紙部に逃げ、その蓄熱でもって上位に位置する原稿読取部を熱してしまい、高速化が高まるほどにそれは顕著になる。熱で原稿読取部の温度が上昇すると、光学系レンズを歪ませ、画像に歪を生じさせたり、またＣＣＤ（Charge Coupled Device）などの機器に動作不良を起こさせる不具合がある。
【０００３】
また、定着装置で定着処理を終えたシートが排紙部から排出トレイに積載されると、その積載されたシートの束にもやはり熱がこもり、トナーの溶着でシートどうしが互いにくっついて排出不良を起こす。そうした不具合の解消にむけて、図１０に示す特許文献１のように原稿読取部に下方から送風ファンで風を送り、原稿読取部を冷却するようにした構造が提案されている。
【０００４】
【特許文献１】米国特許第６６１１６６７号明細書
【発明の開示】
【発明が解決しようとする課題】
【０００５】
しかしその場合、送風ファンの回転駆動によって発生した騒音や熱風が使用者に不快感を与え、利便性を考えて画像形成装置を使用者のできるだけ近い場所に配置したことが逆効果となってしまう。
【０００６】
以上から、本発明の目的は、画像形成装置を高速化することで排紙部での熱の悪影響を解消でき、使用者に対し風や騒音による不快感を与えずに済む画像形成装置を提供することにある。
【課題を解決するための手段】
【０００７】
上記目的を達成するために、本発明の画像形成装置は、定着処理後に排出されたシートを収容する排紙部を有し、前記排紙部に収容されたシートを取り出すための排紙口が扉で開閉可能なものにおいて、前記扉による前記排紙口の開閉状況を検出した信号に基づいて、画像形成装置本体の動作条件が変更されることを特徴とする。
【発明の効果】
【０００８】
本発明の画像形成装置によれば、扉が閉じて排紙部が閉塞されていることを検出すると、排紙部内の熱を強制的に放出させて逃がすことで使用者への熱による不快感を払拭する。また、扉が開いて排紙部が開放されておれば、排紙部内の熱を機体外に自然放出させることで、強制排熱時に生じる騒音を沈静化できるよう制御することができる。
【発明を実施するための最良の形態】
【０００９】
以下、本発明による画像形成装置の好適な実施形態について図面を参照して詳細に説明する。
【００１０】
（画像形成装置）
図１に示すように、複写機などの画像形成装置２４において、この装置本体２５の最上部に画像読取部２５ａが設けられ、画像読取部２５ａの下方に画像形成部２６が配置されている。
【００１１】
画像読取部２５ａは、原稿ガラス２０１にセットされた図示しない原稿を照射して矢印方向に移動する露光装置２０２を有し、この露光装置２０２と一体的に移動するミラー部２０３を有している。また、原稿から反射した光を受光するミラー部２０３を有し、このミラー部２０３で折り返された光がレンズ（図示略 ）を介して入力されるＣＣＤ２０４などが備わっている。
【００１２】
画像形成部２６は、像担持体である感光体ドラム１０１を有し、この感光体ドラム１０１上に形成された静電潜像をトナーを用いて現像してドラム表面にトナー像を形成する現像装置１０２を有する。また、画像形成部２６は感光体ドラム１０１に圧接してシートにトナー像を転写させる転写部を形成する転写ローラ１０３を有し、感光体ドラム上に静電潜像を形成するためのレーザスキャナ１００を備えている。さらに、画像形成部２６は普通紙など記録材であるシートを給送するための給紙装置２５ｂとシート搬送装置５０を備えている。給紙装置２５ｂはシートを収納する給紙カセット１を有し、給紙カセット１に収納されたシートを送り出す給紙ローラ２と、シートを１枚ずつ分離するためのフィードローラ３およびリタードローラ４で構成される分離部を有している。給紙カセット１が装置本体２５内に挿入してセットされると、それを感知したリフト機構（図示略）が作動してシートを給紙カセット１内で給紙可能なレベル位置まで上昇させる。また、シート搬送装置５０は、たとえば両面印刷モード時、シートを画像形成部２６に搬送してシート第一面に画像を形成し、第二面にも画像を形成するために再びシートを画像形成部２６に搬送するようになっている。その再搬送のためにシート搬送装置５０には反転路１６が設けられている。
【００１３】
以上から、装置本体２５はつぎのように作動する。
【００１４】
原稿台ガラス２０１上に読取用の原稿をセットし、コピーボタンを押すと露光装置２０２が原稿を照射しつつ矢印方向に移動し原稿全面を走査する。そして、露光装置２０２によって原稿を照射した光はミラー部２０３により折り返された後、レンズによってＣＣＤ２０４に結像される。ＣＣＤ２０４で読み取られた原稿は画像処理部２６で電気信号に変換され、レーザスキャナ１００に伝送される。
【００１５】
続いて、レーザスキャナ１００から画像情報に対応するレーザ光が感光体ドラム１０１に射出され、このレーザ光で感光体ドラム１０１上に静電潜像が形成される。静電潜像は現像装置１０２で現像されてトナー像として可視化される。
【００１６】
上記トナー像形成動作に同期して給紙ローラ２が回転し、給紙カセット１に収納され、リフト機構の作動で給紙カセット１内のシートがその紙面を給紙可能な高さレベルまで持ち上げられる。フィードローラ３とリタードローラ４が協働する分離部でシートは１枚ずつ分離され、そのシートを搬送ローラ対５，６でレジストローラ対７，８に搬送し、シートの姿勢を矯正してレジスト補正を行う。その後、シートは感光体ドラム１０１と転写ローラ１０３との転写部へと搬送され、転写ローラ１０３にトナー像と逆極性の電圧を印加してトナー像を転写する。なお、シートが上記レジストロ−ラ対７，８に向かう際、通過検知装置３４でその通過したことを検出され、検出信号に基づいて制御部２５ｃはシートをトナー像の位置に合わせてタイミング良く送り込むよう、レジストロ−ラ対７，８を駆動する。
【００１７】
トナー像が転写されたシートは搬送部１０で定着装置１１に送られ、定着装置１１でシートを加熱および加圧してトナー像をシート上に永久定着する。トナー像定着後、シートの第一面にのみ画像を形成する片面コピーの場合には、シートは正転する反転ローラ対１４，１５と排紙ローラ対１２で排紙トレイ（排紙部）７０に排出する。これでシートの片面複写動作を終了する。一方、シートの第二面にも画像を形成する両面コピーの場合は、片面に画像を転写されたシートが定着装置１１を通過後、反転ローラ対１４，１５でスイッチバック搬送されて反転路１６を通過し、再びレジストローラ対７，８によってレジスト補正されて転写部へと搬送される。そして、この転写部にて反対側の面に画像が形成され、この後、片面複写動作と同様にシートは搬送され、排紙トレイ７０に排出される。
【００１８】
（吸排気構造：第１の実施形態）
つぎに、図２〜図４を参照して、本発明の要旨である吸排気構造の第１の実施形態について説明する。
【００１９】
図２および図３に示すように、装置本体２５の背面における空気の流れは、背面カバー５９に設けた外気取込用の吸気口５８から外部空気を取り込み、背面カバー５９との間に形成された空隙を流通して上方に吸排気ダクト５６に送られる。吸排気ダクト５６には、装置本体２５の上部全域にわたってダクト本体の複数個所に複数の吸引口６１が設けられ、回転駆動する電動式の送風ファン（回転ファン）によって装置本体２５内の空気をくまなく強制循環させるようになっている。複数の吸引口６１は、送風ファンの回転吸引力で背面カバー５９間の空間からの空気を吸い込み、吸排気ダクト５６を通して装置本体２５の背面下方に設けた排気口６０から、図３中仮想線による矢印で示すように、機外へと排気する。排気口６０は吸気口５８よりも装置本体２５の前面側に位置するように配置され、図示しない仕切り板で吸気口５８と排気口６０の空気が混合しないよう遮蔽した構造となっている。
【００２０】
また、図４に示すように、装置本体２５と背面カバー５９との間には画像形成部２６や定着装置１１の駆動手段、電源、そして制御装置の電子回路基板などといった電装機器６４が配置されている。吸気口５８から取り込まれた外部空気は吸排気ダクト５６の吸引口６１から吸い込まれ、循環する空気の流れでそれら電装機器６４を冷却するようになっている。また、吸気口５８から取り入れた外部空気を装置前面へと送る送風ダクト５５が設けられている。この送風ダクト５５から装置前面へと送られた空気は、図３に示す前カバー６２と画像形成部２６に設けた内カバーとの間に送られる。画像形成部２６には、感光体ドラム１０１、現像装置１０２および転写ローラ１０３などからなる画像形成ユニットから空気を引くための冷却ダクト５７が設けられている。冷却ダクト５７は吸排気ダクト５６と連結され、吸排気ダクト５６に配置されている送風ファンの吸引力で画像形成ユニット内の空気を吸引する。
【００２１】
加えて、画像形成部２６に設けた上記内カバーには、画像形成ユニット内に空気を取り入れるためのルーバ（図示略）が設けられ、送風ダクト５５によって装置前面へと送られた空気が冷却ダクト５７の吸引力によってそのルーバを通過する。それによって、画像形成ユニット内の感光体ドラム１０１や現像装置１０２など各機器に行き渡って通過することで、各機器の冷却を行うようになっている。
【００２２】
また、図４において、定着装置１１で発生した熱を排出するために、発生した熱を吸引する排熱ダクト６３を含む以下の各部材、各機器からなる排熱手段が設けられている。排熱ダクト６３は吸排気ダクト５６に連結され、吸排気ダクト５６に備わる送風ファンの吸引力によって定着装置１１内の暖められた空気を排気する。定着装置１１に設けた内カバー（図示略）には必要な空気を取り込むためのルーバが設けられ、送風ダクト５５で装置前面に空気を送って内カバーのルーバから吸引し、それによって定着装置１１内の排気効率を高めている。
【００２３】
（排紙トレイの排熱構造）
一方、図２に示すように、画像読取部２５ａと画像形成部２６との間に排紙トレイ（排紙部）７０が設けられ、いわゆる「胴内排紙型」となっている。その排紙トレイ７０の内部を開放または閉塞する開閉式の扉（以下、「排紙扉」という）７６が装置本体２５の排紙口に設けられ、開くことで排紙トレイ７０からのシート排出可能に開放し、閉じることで排紙トレイ７０を閉塞するようになっている。その排紙扉７６は装置本体２５に対して簡易に取り付け取り外しできるように設けることができる。図５は排紙扉７６が開かれた状態を示す。
【００２４】
図５において、排紙トレイ７０は天板７１、排紙ローラ１２に臨む側板７２、トレイ奥側に臨む側板７３、本体右側板７４、そして画像読取部２５ａに底板部７５による５つの壁面で囲われた空間部で形成されている。
【００２５】
排紙扉７６が閉じている状態では排紙トレイ７０の内部は機外部から遮断され、音の外部漏れもなく遮音状態となるように防音構造となっている。すなわち、排紙扉７６自身と右側板７４は防音壁構造となっており、固体層で形成された内壁と外壁との間に空気層を有する発泡体や繊維質などによる吸音部材を挟んだ積層体である。側板７２には排紙ローラ対１２によって送られてきたシートを排出するための排出口７２ａが開口されている。トレイ奥側板７３には排紙トレイ７０内にこもった蓄熱を排熱するための排熱ダクト７７が設けられ、吸排気ダクト５６に連結されている。排熱ダクト７７内には排熱ファン７８が設けられ、定着装置１１で発生した放射熱と定着済みシートがもってきた熱で暖められた排紙トレイ７０内の空気を強制的に排気することができる。
【００２６】
図６（ａ），（ｂ）に示すように、排紙トレイ７０の天板７１における排紙扉７６に近接した個所に複数のルーバ７１ａが設けられ、送風ダクト５５で装置前面へ送られた空気を吸引して排熱効率を高めるようにしている。また、天板７１の下方には排紙扉７６の開閉に連動してルーバ７１ａを開閉するためのルーバシャッタ７１ｂが設けられている。図６（ｂ）のように、排紙扉７６が開いている状態でルーバ７１ａは閉じ、図６（ａ）のように排紙扉７６が閉じている状態でルーバ７１ａが開くように構成されている。
【００２７】
なお、シート排紙手段を構成する排紙ローラ１２の下流には図示しないステイプルユニットが配置され、ステイプル動作時の生産性を確保するために排紙ローラ１２を高速回転させ、シートとシートとの紙間を広くするように動作させる排紙増速モードの制御が行われている。
【００２８】
また、図７の機能ブロック図に示すように、排紙トレイ７０にはトレイ内部温度を検出するための温度検知センサ７９を有し、排紙扉７６の開閉状況を検出するための開閉検知センサ８０が装着されている。それら各センサによる検出信号に基づき、たとえば画像形成装置全体の制御を統括する制御部２５ｃの制御によって、排熱ファン７８の回転速度や排出シートの搬送速度を可変調整する。また、排紙扉７６には、排出ジョブの状況や警告などを表示し、モード選択などの情報を入力するための情報入出力用のディスプレイ（情報操作表示部）８１がモード選択部を含んで設けられている。
【００２９】
以上の構成から、本実施形態の要旨となる点であるが、排紙扉７６が閉じているか開いているかの状況に応じて装置本体２５の作動を制御することで、排紙トレイ７０における効率的な騒音低減や排熱を実現する。その動作制御について図８のフローチャートを用い、また図７の機能ブロック図を参照して説明する。
【００３０】
（両立モード）
生産性を高めるために高速化するとそれだけ騒音や発熱が大きくなるが、高速化しても音の静寂性が保たれ、同時に効率的な排熱を可能にする生産性と静音性のいずれも達成できる両立モードがつぎのように実行される。制御部２５ｃは、開閉検知センサ８０の検出信号に基づき排紙扉７６が開いているか閉じているかの開閉状態を判断する（ステップ：Ｓ１）。排紙扉７６が閉じられている場合（Ｙｅｓ）、制御部２５ｃは排熱モードによるシーケンスを動作させる。その場合、制御部２５ｃは排熱ファン７８を起動し（ステップ：Ｓ２）、送風ダクト５５およびルーバ７１ａから空気を吸引し、排熱ダクト７７および吸排気ダクト５６にて排紙トレイ７０内の熱を強制的に排気する。
【００３１】
同時に、制御部２５ｃは、排紙シーケンスも実行し、高速化を緩めることなく生産性を維持する。すなわち、排紙ローラ対１２は、制御部２５ｃの排紙増速モードの制御によって作動し（ステップ：Ｓ３）、下流側に位置するステイプルユニットも高速にステイプル動作を行う（ステップ：Ｓ４）。制御部２５ｃは、排熱ファン７８がジョブ後に排熱するように排熱ファン７８を回転駆動する(ステップ：Ｓ５)。
【００３２】
かかる排熱シーケンスと排紙シーケンスの同時作動によってファン駆動音、排紙音、ステイプル動作音などが発生する。しかしその場合でも、防音壁で構成される排紙扉７６によって装置本体２５の機外部とは遮断（遮音）されているため、機外に騒音を発生させない。
【００３３】
（静音化優先モード）
ステップＳ１において、排紙扉７６が開いていると制御部２５ｃが判断した場合（Ｎｏ）、制御部２５ｃは、排熱ファン７８の回転駆動を停止させるように制御する(ステップ：Ｓ６)。それにより、排紙トレイ７０内の熱は開いた排紙扉７６から放出され、自然冷却する。このとき、ルーバシャッタ７１ｂによってルーバ７１ａが閉鎖されているので、送風ダクト５５によって装置前面へ送られた空気がルーバ７１ａからの吹き出すのを防止し、吹き出し音防止と同時に本体エアフローに影響を及ぼさないようになっている。
【００３４】
ステップＳ７において、温度検知センサ７９の検出結果から制御部２５ｃは排紙トレイ７０内の温度が一定温度以下か否かを判断する(ステップ：Ｓ７)。制御部２５ｃは、一定温度以下と判断すると（Ｙｅｓ）、静音化モードが優先して実行される。制御部２５ｃは、静音化モードとして、排紙ローラ対１２を低速制御し（ステップ：Ｓ８）、下流側に位置するステイプルユニットも低速動作させる（ステップ：Ｓ９）。すなわち、ステイプル動作時だけはシートとシートとの紙間を拡大させて多少生産性を低下させ、ゆるやかなペースでステイプル動作を行う。このような排熱・排紙シーケンスを動作させることで、生産性を極力落とさずにファン音、排紙音およびステイプル動作音などの騒音発生を防止する。
【００３５】
ステップＳ７において、排紙トレイ７０内の温度が一定温度以上であると制御部２５ｃが判断した場合には（Ｎｏ）、制御部２５ｃは、ディスプレイに排紙扉７６を閉じてもらうべく警告表示の指示信号を発信する（ステップ：Ｓ１０）。ステップＳ１１で制御部２５ｃは、排紙扉７６の開閉状況を判断して、排紙扉７６が閉じられたと判断されたならば（Ｙｅｓ）、上記「両立モード」による動作シーケンスに移行する。ステップＳ１１で排紙扉７６が開きっ放しのまま状態であれると制御部２５ｃが判断した場合には（Ｎｏ）、制御部２５ｃは、ディスプレイに静音化を優先するかどうかをユーザに選択してもらうか（ステップ：Ｓ１３）、または予め設定されている静音化優先の有無を判断して（ステップ：Ｓ１２）、動作モードを決定するように制御する。
【００３６】
（減速運転モード）
ステップＳ１３にて静音化優先の可否が選択され、静音化優先が選択されたならば（Ｙｅｓ）、制御部２５ｃは、装置本体を低速運転する減速運転モードを実行する（ステップ：Ｓ１４）。
【００３７】
（生産性優先静音モード）
ステップＳ１３にて静音化優先が選択されなかった場合（Ｎｏ）、制御部２５ｃは、排熱ファン７８を停止したまま装置本体２５全てを低速運転し（ステップ：Ｓ１５，１６）、CPM(Copy per Minute)を下げて排紙トレイ７０内の温度が設定値以下になるように制御する（ステップ：Ｓ１７）。すなわち、温度検知センサ７９の検出結果に基づいて排熱ファン７８の回転速度制御を実行し、排紙トレイ７０内の温度が設定値以下になるようにする。以下、排紙ローラ対１２を低速制御し、下流側のステイプルユニットを低速動作させ、ステイプル動作時だけはシートとシートとの紙間を拡大させて、多少生産性を低下させてゆっくりとステイプル動作を行う。
【００３８】
以上明らかなように、本実施形態にあっては排紙扉の開閉状況や排紙トレイ７０内の温度、ユーザの静音化優先の有無に応じて、排熱シーケンスと排紙シーケンスのいずれか一方または両方同時動作させることで、生産性ならびに静音化を高次元で両立できる。
【００３９】
なお、本実施形態では、排熱ファン７８を有する排熱ダクト７７を吸排気ダクト５６に連結し、排紙扉７６の開閉に応じて排熱ファン７８を制御して排紙トレイ７０内の空気を排気する構成としたが、それに限定されない。すなわち、排熱ファン７８を設けず吸排気ダクト５６内のファンを制御する構成も可能であり、また排紙扉７６の開閉に連動して排熱ダクト７７を開閉する開閉シャッタ構成とすることも可能である。さらに、排紙扉７６の開閉に連動してルーバ７１ａを開閉するシャッタ構成とし、送風ダクト５５によって装置前面へ送られた空気をルーバ７１ａから吸引する構成としたがそれにも限定されない。すなわち、開閉シャッタに代えて送風ファンを採用し、排紙扉７６の開閉に連動して制御する構成も可能であり、また開閉シャッタを設けず送風ダクト５５内のファンを排紙扉の開閉に連動して制御する構成でも可能である。
【００４０】
（吸排気構造：第２の実施形態）
つぎに、図９を参照して吸排気構造の第２の実施形態について説明する。
【００４１】
図９は装置本体２５を前方から見た図であり、第１の実施形態で採用された排熱ダクト７７と排熱ファン７８はこの第２の実施形態では設けられていない。その代用として冷却手段を構成する吸引冷却ダクト８２と冷却ファン８３とを排出されたシートに直接風が当たる配置とし、吸気口５８から取り入れた外気を排紙トレイ７０内に吸引する構成としている。また、第１の実施形態のように、ルーバ７１ａを送風ダクト５５に連結する構造に代えて、この第２の実施形態ではルーバ７１ａを図示しないダクトによって冷却ダクト５７に連結し、排紙トレイ７０内の熱を排熱する構成になっている。
【００４２】
なお、他の構成ならびに排熱・排紙シーケンスは第１の実施形態と同様であるのでその部分の説明は省略する。その場合の第２の実施形態にあっても、扉の開閉状況や排紙トレイ７０内の温度、ユーザの静音化優先の有無に応じて排熱・排紙シーケンスを動作させるとことで、生産性と静音化とを高次元で両立することが可能となる。
【００４３】
すなわち、冷却ファン８３の制御に代えて排紙扉７６の開閉に連動して吸引冷却ダクト８２を開閉する開閉シャッタ構成とすることができる。また、排紙扉７６の開閉に連動してルーバ７１ａを開閉するシャッタ構成にして、ルーバ７１ａを冷却ダクト５７に連結し排紙トレイ７０内の熱を排熱する構成とすることに限定されない。開閉シャッタに代えて送風ファンを用い、排紙扉７６の開閉に連動して制御する構成も可能であり、開閉シャッタを用いず冷却ダクト５７内のファンを排紙扉の開閉に連動して制御する構成とすることも可能である。
【００４４】
以上、本発明について第１，第２の実施形態が説明されたが、本発明の主旨を逸脱しない範囲内であればその他の実施形態、応用例、変形例およびそれらの組み合わせも可能である。たとえば、上記第１，第２の実施形態のいずれも排紙扉７６を予め装置本体２５に取り付けた構成が示された。それに限定されることなく、ディスプレイ８１を含めて排紙扉７６を後から装着可能ないわゆるオプション構成として後付けすることでも可能である。
【図面の簡単な説明】
【００４５】
【図１】本発明による画像形成装置の実施形態を示す図。
【図２】同画像形成装置の外観を前側から見た図。
【図３】同画像形成装置を前側から透視した図。
【図４】同画像形成装置を後側から透視した図。
【図５】同画像形成装置における排紙扉構造の第１の実施形態を示す図。
【図６】同図（ａ），（ｂ）は第１の実施形態において排紙扉とシャッタの動作を示す図。
【図７】同第１の実施形態における構成を示す機能ブロック図。
【図８】同第１の実施形態における動作のフローチャート。
【図９】本発明による画像形成装置の第２の実施形態を透視した図。
【図１０】従来例を示す正面図と斜視図。
【符号の説明】
【００４６】
１０    搬送部
１１    定着装置
２４    画像形成装置
２５    装置本体
２５ａ  画像読取部
２５ｂ  給紙装置
２５ｃ  制御部
２６    画像形成部
５５    送風ダクト
５６    吸排気ダクト
５７    冷却ダクト
５８    吸気口
５９    背面カバー
６０    排気口
６１    吸引口
６２    前カバー
６３    排熱ダクト
７０    排紙トレイ（排紙部）
７１ａ  ルーバ
７１ｂ  ルーバシャッタ
７６    排紙扉
７７    排熱ダクト
７８    排熱ファン
７９    温度検知センサ
８０    開閉検知センサ
８１    ディスプレイ
８２    吸引冷却ダクト
８３    冷却ファン
【図１】
2008151885.tif 000003
【図２】
2008151885.tif 000004
【図３】
2008151885.tif 000005
【図４】
2008151885.tif 000006
【図５】
2008151885.tif 000007
【図６】
2008151885.tif 000008
【図７】
2008151885.tif 000009
【図８】
2008151885.tif 000010
【図９】
2008151885.tif 000011
【図１０】
2008151885.tif 000012